(57)【要約】【課題】クリアスクリーンの実行／解除を人手に頼ることなく自動で行うことが可能な表示装置を提供する。【解決手段】コンピュータから入力されるデータを表示する表示手段と、正規のユーザが保持するＲＦＩＤタグに記憶された識別情報を、照合情報として記憶する記憶手段と、自己の装置周辺に存在するＲＦＩＤタグから、当該ＲＦＩＤタグに記憶された識別情報を読み取るＲＦＩＤ読取手段と、前記ＲＦＩＤ読取手段により読み取られた識別情報と、前記記憶手段に記憶された照合情報とを比較し、両情報が不一致の場合に前記表示手段の表示画面を視認不可能な状態に制御する制御手段と、を備える。【選択図】図１
2010277366.tif 000002
【特許請求の範囲】
【請求項１】
コンピュータから入力されるデータを表示する表示手段と、
正規のユーザが保持するＲＦＩＤタグに記憶された識別情報を、照合情報として記憶する記憶手段と、
自己の装置周辺に存在するＲＦＩＤタグから、当該ＲＦＩＤタグに記憶された識別情報を読み取るＲＦＩＤ読取手段と、
前記ＲＦＩＤ読取手段により読み取られた識別情報と、前記記憶手段に記憶された照合情報とを比較し、両情報が不一致の場合に前記表示手段の表示画面を視認不可能な状態に制御する制御手段と、
を備えたことを特徴とする表示装置。
【請求項２】
前記制御手段は、前記ＲＦＩＤ読取手段により前記ＲＦＩＤタグの読み取りが行われない場合、前記表示手段の表示画面を視認不可能な状態に制御することを特徴とする請求項１に記載の表示装置。
【請求項３】
前記制御手段は、前記表示手段の電源をオフ状態とすることで、前記表示画面を視認不可能な状態に制御することを特徴とする請求項１又は２に記載の表示装置。
【請求項４】
前記制御手段は、前記表示画面の視認不可能な状態を解除する際、前記コンピュータに割り込み信号を送信することを特徴とする請求項１〜３の何れか一項に記載の表示装置。
【請求項５】
前記ＲＦＩＤ読取手段は、前記ＲＦＩＤタグと交信するためのアンテナを有し、
前記アンテナは、前記表示手段の表示画面方向に指向性を有するよう配置されていることを特徴とする請求項１に記載の表示装置。
【請求項６】
前記アンテナは、前記表示画面の背面又は当該表示画面の周囲に配置されていることを特徴とする請求項５に記載の表示装置。
【発明の詳細な説明】
【技術分野】
【０００１】
本発明は、コンピュータから入力されたデータを表示する表示装置に関する。
【背景技術】
【０００２】
従来、ディスプレイに表示された情報を離席時に盗み見られないようにするため、ログオフ処理や、パスワード付きスクリーンセーバー等により表示画面を視認不可能な状態に制御（ロック）するクリアスクリーンが行われている。また、クリアスクリーンに係るコンピュータのセキュリティ方法として、ＩＣカードがコンピュータから抜かれるとディスプレイの表示を停止し、ＩＣカードがコンピュータに挿入されるとディスプレイの表示を再開させる技術が提案されている（特許文献１参照）。
【発明の概要】
【発明が解決しようとする課題】
【０００３】
しかしながら、上述した従来の技術では、ユーザは離席する毎にログオフ処理やＩＣカードを抜き取る必要があり、また、ディスプレイ表示の再開時においてもパスワードの入力やＩＣカードを挿入する必要となるため、その手続きが煩雑であるという問題がある。
【０００４】
本発明は上記に鑑みてなされたものであって、クリアスクリーンの実行／解除を人手に頼ることなく自動で行うことが可能な表示装置を提供することを目的とする。
【課題を解決するための手段】
【０００５】
上述した課題を解決し、目的を達成するために、本発明は、コンピュータから入力されるデータを表示する表示手段と、正規のユーザが保持するＲＦＩＤタグに記憶された識別情報を、照合情報として記憶する記憶手段と、自己の装置周辺に存在するＲＦＩＤタグから、当該ＲＦＩＤタグに記憶された識別情報を読み取るＲＦＩＤ読取手段と、前記ＲＦＩＤ読取手段により読み取られた識別情報と、前記記憶手段に記憶された照合情報とを比較し、両情報が不一致の場合に前記表示手段の表示画面を視認不可能な状態に制御する制御手段と、を備えたことを特徴とする。
【発明の効果】
【０００６】
本発明によれば、クリアスクリーンの実行／解除を自動で行うことが可能な表示装置を提供することができる。
【図面の簡単な説明】
【０００７】
【図１】図１は、本発明の実施形態に係る表示装置の全体構成を模式的に示した図である。
【図２】図２は、図１に示した表示装置とユーザとの位置関係を説明するための図である。
【図３】図３は、図２に示した表示装置１００の正面図である。
【図４】図４は、照合情報の登録に係る処理の手順を示したフローチャートである。
【図５】図５は、照合情報の削除に係る処理の手順を示したフローチャートである。
【図６】図６は、クリアスクリーンに係る処理の手順を示したフローチャートである。
【発明を実施するための形態】
【０００８】
以下、添付図面を参照して、本発明に係る表示装置の実施形態を詳細に説明する。なお、以下に説明する実施形態により本発明が限定されるものではない。
【０００９】
図１は、本実施形態に係る表示装置１００の全体構成を模式的に示した図である。同図に示すように、表示装置１００は、表示パネル部１１と、操作部１２と、インタフェース部１３と、電源部１４と、ＲＦＩＤリーダ部１５と、ＲＦＩＤアンテナ部１６と、制御部１７と、記憶部１８とを備えている。
【００１０】
表示パネル部１１は、ＬＣＤ（Liquid  Crystal  Display）や有機ＥＬ等により構成される表示パネルであって、制御部１７の制御に従い、ホストコンピュータ２００から入力される映像信号を表示する。操作部１２は、表示装置１００の動作（機能）を設定するための操作ボタン等を有し、その操作内容に応じた操作信号を制御部１７に出力する。
【００１１】
インタフェース部１３は、表示装置１００とＰＣ（Personal  Computer）等のホストコンピュータとを接続するためのインタフェースであって、ＰＣ等のホストコンピュータから入力される映像信号を制御部１７に出力する。電源部１４は、制御部１７の制御に従い、表示装置１００の各部に駆動電力を供給する。
【００１２】
ＲＦＩＤリーダ部１５は、ＲＦＩＤアンテナ部１６を介して、後述するＲＦＩＤタグ３００から所定の情報（後述する識別情報）の読み取り、制御部１７に出力を行うＲＦＩＤリーダ装置である。ＲＦＩＤアンテナ部１６は、表示装置１００の周辺に存在するＲＦＩＤタグ３００と交信可能な周波数（１３．５６ＭＨｚ。９５０〜９５６ＭＨｚ、２．４５ＧＨｚ等）の電波を出力可能なアンテナである。以下、図２及び図３を参照して、表示装置１００を利用するユーザと、ＲＦＩＤアンテナ部１６との関係について説明する。
【００１３】
図２は、表示装置１００と、当該表示装置１００を利用するユーザＵとの位置関係を説明するための図である。同図に示すように、本表示装置１００を利用するユーザＵは、セキュリティデバイスとしてのＲＦＩＤタグ３００を身に着けている。ＲＦＩＤタグ３００は、所定の情報を記録したＩＣチップと、無線通信用のアンテナとを有し（何れも図示せず）、ＲＦＩＤアンテナ部１６からの電波に応じて、自己のＲＦＩＤタグ３００が保持する情報をＲＦＩＤリーダ部１５に提供する。なお、ＲＦＩＤタグ３００には、当該ＲＦＩＤタグ３００を保持するユーザの識別情報や当該ＲＦＩＤタグ３００の識別情報等、他のＲＦＩＤタグ３００に保持された情報とは異なる情報（以下、識別情報という）が保持されているものとする。
【００１４】
表示パネル部１１の利用時において、ユーザＵは、図２に示すように表示パネル部１１と向かい合って表示画像を観察することになる。一方、ＲＦＩＤアンテナ部１６は、表示パネル部１１の観察者（ユーザＵ）方向、即ち表示パネル部１１の表示画面方向に電波Ｅを送信するよう表示装置１００の筐体内に配置されている。このように、ＲＦＩＤアンテナ部１６の指向性を、ユーザＵ（ＲＦＩＤタグ３００）の存在方向とすることで、ＲＦＩＤアンテナ部１６とＲＦＩＤタグ３００との間の通信効率を向上させることができる。
【００１５】
なお、ＲＦＩＤアンテナ部１６の具体的な配置位置としては、例えば、図３に示すように、表示装置１００の筐体Ｂ内において、表示パネル部１１の背面部Ａ１や、表示パネル部１１の周辺部Ａ２等が好ましい。ここで、図３は、図２に示した表示装置１００の正面図であって、ユーザＵから見た表示装置１００の外観構成を示している。
【００１６】
図１に戻り、制御部１７は、図示しないＣＰＵ（Central  Processing  Unit）、ＲＯＭ（Read  Only  Memory）及びＲＡＭ（Random  Access  Memory）等により構成され、ＲＯＭに記憶された所定のプログラムとの協働により、表示装置１００の各部の動作を統括的に制御する。
【００１７】
具体的に、制御部１７は、操作部１２から入力される操作信号に応じて、表示装置１００の機能に係る設定を変更する。また、制御部１７は、インタフェース部１３を介して入力された映像信号に所定の信号処理を施した後、表示パネル部１１に出力することで、この映像信号を表示パネル部１１に表示させる。
【００１８】
また、制御部１７は、ＲＦＩＤリーダ部１５を所定の期間毎又は常時動作させ、ＲＦＩＤタグ３００から識別情報を読み取ることができたか否かを判定し、当該識別情報を読み取るができないと判定した場合には、電源部１４を制御することで表示パネル部１１をオフ状態とする。また、ＲＦＩＤタグ３００から識別情報が読み取れた場合、制御部１７は、この識別情報と記憶部１８に記憶された後述する照合情報とを比較し、両情報が一致しない場合には電源部１４を制御することで表示パネル部１１をオフ状態とする。さらに、識別情報と照合情報とが一致すると判定した場合、制御部１７は、表示パネル部１１をオン状態とし、既にオン状態である場合にはその状態を継続する。
【００１９】
記憶部１８は、フラッシュロム等の不揮発性の記憶媒体を有し、制御部１７の制御に応じて、ＲＦＩＤタグ３００から読み取られた識別情報を照合情報として記憶する。また、記憶部１８は、制御部１７の制御に応じて、記憶している照合情報を削除する。
【００２０】
次に、表示装置１００のクリアスクリーンに関する動作について説明する。まず、図４を参照して、識別情報と照合を行う照合情報の登録に係る処理について説明する。
【００２１】
図４は、照合情報の登録に係る処理の手順を示したフローチャートである。なお、本処理は、照合情報が未登録の利用開始（初回）時において、表示装置１００の正規ユーザが保持するＲＦＩＤタグ３００に対して実行されるものである。
【００２２】
まず、ユーザにより操作部１２が操作され、照合情報の登録を行うため操作信号が制御部１７に入力されると（ステップＳ１１）、制御部１７は、照合情報の登録を行うことを示す画面を表示パネル部１１に表示させる（ステップＳ１２）。次いで、制御部１７は、ＲＦＩＤリーダ部１５を動作させることで、読み取り可能なＲＦＩＤタグ３００が存在するか否かを判定する（ステップＳ１３）。ここで、読み取り可能なＲＦＩＤタグ３００が所定の時間確認できない場合（ステップＳ１３；Ｎｏ）、制御部１７は、ＲＦＩＤタグ３００が確認できないことを示す画面を表示パネル部１１に表示させた後（ステップＳ１４）、本処理を直ちに終了する。
【００２３】
一方、ステップＳ１３において、読み取り可能なＲＦＩＤタグ３００の存在を確認できた場合（ステップＳ１３；Ｙｅｓ）、制御部１７は、ＲＦＩＤリーダ部１５を動作させることで、このＲＦＩＤタグ３００から識別情報の読み取りを開始する（ステップＳ１５）。
【００２４】
続いて、制御部１７は、ＲＦＩＤリーダ部１５から識別情報を受け付けると、この識別情報を照合情報として記憶部１８に記憶させる（ステップＳ１６）。そして、制御部１７は、照合情報の登録が完了したことを示す画面を表示パネル部１１に表示させた後（ステップＳ１７）、本処理を終了する。
【００２５】
次に、図５を参照して、照合情報の削除に係る処理について説明する。ここで、図５は、照合情報の削除に係る処理の手順を示したフローチャートである。
【００２６】
まず、ユーザにより操作部１２が操作され、照合情報の削除を行うため操作信号が制御部１７に入力されると（ステップＳ２１）、制御部１７は、照合情報の削除を行うことを示した画面を表示パネル部１１に表示させる（ステップＳ２２）。次いで、制御部１７は、ＲＦＩＤリーダ部１５を動作させることで、読み取り可能なＲＦＩＤタグ３００が存在するか否かを判定する（ステップＳ２３）。読み取り可能なＲＦＩＤタグ３００が所定の時間確認できない場合（ステップＳ２３；Ｎｏ）、制御部１７は、ＲＦＩＤタグ３００が確認できないことを示す画面を表示パネル部１１に表示させた後（ステップＳ２４）、本処理を終了する。
【００２７】
また、ステップＳ２３において、読み取り可能なＲＦＩＤタグ３００の存在を確認できた場合（ステップＳ２３；Ｙｅｓ）、制御部１７は、ＲＦＩＤリーダ部１５を動作させることで、このＲＦＩＤタグ３００から識別情報の読み取りを開始する（ステップＳ２５）。
【００２８】
続いて、制御部１７は、ＲＦＩＤリーダ部１５から識別情報を受け付けると、この識別情報と、記憶部１８に記憶された照合情報とを比較し、両情報が一致するか否かを判定する（ステップＳ２６）。ここで、両情報が不一致と判定した場合（ステップＳ２６；Ｎｏ）、制御部１７は、照合情報を削除できないことを示す画面を表示パネル部１１に表示させた後（ステップＳ２７）、本処理を終了する。
【００２９】
一方、ステップＳ２６において、識別情報と照合情報とが一致すると判定した場合（ステップＳ２６；Ｙｅｓ）、制御部１７は、この照合情報を記憶部１８から削除する（ステップＳ２８）。そして、制御部１７は、照合情報の削除が完了したことを示す画面を表示パネル部１１に表示させ（ステップＳ２９）、本処理を終了する。
【００３０】
次に、図６を参照して、表示パネル部１１のクリアスクリーンに係る処理について説明する。ここで、図６は、表示パネル部１１のクリアスクリーンに係る処理の手順を示したフローチャートである。なお、本処理は、照合情報の登録後に実行されるものである。
【００３１】
まず、制御部１７は、ＲＦＩＤリーダ部１５を所定時間毎又は常時動作させることで、読み取り可能なＲＦＩＤタグ３００が存在するか否かを判定する（ステップＳ３１）。ここで、読み取り可能なＲＦＩＤタグ３００が所定の時間確認できない場合（ステップＳ３１；Ｎｏ）、制御部１７は、電源部１４を制御することで、表示パネル部１１の電源をオフ状態とし（ステップＳ３２）、ステップＳ１１に再び戻る。なお、ステップＳ３２において、既にオフ状態である場合には、この状態を継続する。
【００３２】
また、ステップＳ３１において、読み取り可能なＲＦＩＤタグ３００の存在を確認できた場合（ステップＳ３１；Ｙｅｓ）、制御部１７は、ＲＦＩＤリーダ部１５を動作させることで、このＲＦＩＤタグ３００から識別情報の読み取りを開始する（ステップＳ３３）。
【００３３】
続いて、制御部１７は、ＲＦＩＤリーダ部１５から識別情報を受け付けると、この識別情報と、記憶部１８に記憶された照合情報とを比較し、両情報が一致するか否かを判定する（ステップＳ３４）。ここで、両情報が不一致と判定した場合（ステップＳ３４；Ｎｏ）、制御部１７は、ステップＳ３２に移行することで、表示パネル部１１の電源をオフ状態とする。これにより、正規ユーザ以外の者に対して、クリアスクリーンを実行することができるため、セキュリティの向上を図ることができる。
【００３４】
一方、ステップＳ３４において、識別情報と照合情報とが一致すると判定した場合（ステップＳ３４；Ｙｅｓ）、制御部１７は、電源部１４を制御することで、表示パネル部１１の電源をオン状態とし（ステップＳ３５）、ステップＳ１１に再び戻る。なお、ステップＳ３５において、既にオン状態である場合には、この状態を継続する。
【００３５】
以上のように、本実施形態に係る表示装置１００では、ＲＦＩＤタグ３００が表示装置１００の近傍に存在するか否かに応じて、表示パネル部１１の電源のオン／オフを制御することができるため、このＲＦＩＤタグ３００を身に着けた正規ユーザの離着席毎に、クリアスクリーンの実行／解除を自動的に行うことが可能となる。
【００３６】
以上、本発明の実施の形態について説明したが、本発明はこれに限定されるものではなく、本発明の主旨を逸脱しない範囲での種々の変更、置換、追加等が可能である。
【００３７】
例えば、上述した表示パネル部１１の電源オフ時に、ホストコンピュータ２００がスリープ（サスペンド）状態等の省電力状態に移行することが考えられる。このような場合、表示パネル部１１の電源オフから電源オンへの移行時（上述したステップＳ３５の実行時）に、制御部１７が、省電力状態から復帰するための割り込み信号をホストコンピュータ２００に出力することで、表示装置１００のロック解除とホストコンピュータ２００の省電力状態からの復帰とを連動させることができる。なお、この形態の場合、ホストコンピュータ２００に割り込み信号を通知するための信号線（例えば、ＵＳＢ等）が必要となるため、インタフェース部１３は、映像信号受信用の信号線と、割り込み信号通知用の信号線とを接続可能に構成されているものとする。
【００３８】
また、上記実施形態では、ＲＦＩＤタグ３００の読み取りが不可能な際、及び、正規ユーザ以外の者の識別情報を読み取った際に、表示パネル部１１の電源をオフする形態としたが、これに限らず、スクリーンセーバー等のロック画面を表示パネル部１１に表示させる形態としてもよい。
【００３９】
また、上記実施形態では、クリアスクリーンを行う形態について説明したが、このクリアスクリーンを行うモード（セキュリティモード）と、クリアスクリーンを行わないモード（通常モード）とを、操作部１２により選択可能な構成としてもよい。なお、セキュリティモードから通常モードへの設定変更時には、上述した照合情報の削除と同様、識別情報と照合情報との一致を確認することがセキュリティ上好ましい。また、通常モードへの設定変更時に、記憶部１８に記憶された照合情報を削除する形態としてもよい。
【００４０】
また、上記実施形態では、表示装置１００とホストコンピュータ２００とを別体とした形態について説明したが、これに限らず、表示装置１００とホストコンピュータ２００とが一体的に構成された装置（例えば、ノートＰＣ等）に適用してもよい。
【００４１】
また、上記実施形態では、制御部１７が実行するプログラムは、図示しないＲＯＭ又は記憶部１８に予め組み込んで提供するものとするが、これに限らず、インストール可能な形式又は実行可能な形式でＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記録媒体は、コンピュータ或いは組み込みシステムと独立した媒体に限らず、ＬＡＮやインターネット等により伝達されたプログラムをダウンロードして記憶又は一時記憶した記録媒体も含まれる。
【００４２】
また、制御部１７で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【産業上の利用可能性】
【００４３】
以上のように、本発明に係る表示装置は、コンピュータから入力されるデータを表示する表示装置に有用であり、特に、クリアスクリーンを行う場合に適している。
【符号の説明】
【００４４】
１００  表示装置
１１  表示パネル部
１２  操作部
１３  インタフェース部
１４  電源部
１５  ＲＦＩＤリーダ部
１６  ＲＦＩＤアンテナ部
１７  制御部
１８  記憶部
２００  ホストコンピュータ
３００  ＲＦＩＤタグ
【先行技術文献】
【特許文献】
【００４５】
【特許文献１】特開２００１−８４０４９号公報
【図１】
2010277366.tif 000003
【図２】
2010277366.tif 000004
【図３】
2010277366.tif 000005
【図４】
2010277366.tif 000006
【図５】
2010277366.tif 000007
【図６】
2010277366.tif 000008